(57)【要約】【課題】帽子として着用することができるだけでなく、首に巻いて着用することもでき、マフラーとしてのお洒落を楽しむことも可能な帽子兼用マフラーを提供する。【解決手段】帽子兼用マフラー１０を、両端部を閉塞した筒状体１１によって形成した。筒状体１１の長手方向に沿った長さは、通常、４０〜１００ｃｍに設定する。筒状体１１における閉塞端部１１ａ，１１ｂは、略半球状に形成すると好ましい。筒状体１１の両端部には、結び紐１２ａ，１２ｂを取り付けており、帽子兼用マフラー１０をマフラーとして使用する際に結び紐１２ａと結び紐１２ｂとを互いに結ぶことにより、筒状体１１の両端部を留めることができるようになっている。【選択図】図１
2009191409.tif 000002
【特許請求の範囲】
【請求項１】
両端部を閉塞した筒状体からなる帽子兼用マフラー。
【請求項２】
一端部を閉塞して他端部を開放した筒状体からなる帽子兼用マフラー。
【請求項３】
前記筒状体における閉塞端部を略半球状に形成した請求項１又は２記載の帽子兼用マフラー。
【請求項４】
前記筒状体における一端部に釦を取り付け、前記筒状体における他端部に前記釦を留めるための釦留めを取り付けた請求項１〜３いずれか記載の帽子兼用マフラー。
【請求項５】
前記釦又は前記釦留めのうち少なくとも一方を前記筒状体の長手方向における複数箇所に設けた請求項４記載の帽子兼用マフラー。
【請求項６】
前記筒状体における開放端部の周縁に沿って絞り紐を取り付けた請求項２〜５いずれか記載の帽子兼用マフラー。
【請求項７】
前記筒状体の長手方向に沿った長さが４０〜１００ｃｍである請求項１〜６いずれか記載の帽子兼用マフラー。
【発明の詳細な説明】
【技術分野】
【０００１】
本発明は、マフラーとしてだけでなく、帽子として使用することも可能な帽子兼用マフラーに関する。
【背景技術】
【０００２】
頭部だけでなく、首部も覆うことができるようにした衣類は、これまでに種々のものが提案されている。例えば、特許文献１には、毛糸などの伸縮自在な繊維を使用して筒状のものをつくり、片側を絞れるように紐を通したマフラー（外観上は首あて）が記載されている。また、特許文献２には、環状の首覆い部を帽子の開口部周縁に取り付けたことを特徴とする帽子が記載されている。さらに、特許文献３には、本体部分と折り返し部分との繋がり部分が細くなった帽子が記載されている。
【０００３】
これらの衣類は、防寒対策に好適なものとなっていたが、以下のような欠点を有していた。すなわち、これらの衣類は、予め環状に形成されたループに首部を通す形態のものとなっていた。このため、これらの衣類は、首部についてはいわゆる「首あて」の域を出ず、これらの衣類を着用したからといって必ずしもマフラーを着用しているようには見えなかった。また、巻き方を変えるなどといったマフラーとしてのお洒落を楽しむこともできなかった。
【０００４】
【特許文献１】実開平０６−０１０３１６号公報
【特許文献２】実登第３１０１６４８号公報
【特許文献３】実登第３１３１５７４号公報
【発明の開示】
【発明が解決しようとする課題】
【０００５】
本発明は、上記課題を解決するためになされたものであり、帽子として着用することができるだけでなく、首に巻いて着用することもでき、マフラーとしてのお洒落を楽しむことも可能な帽子兼用マフラーを提供するものである。
【課題を解決するための手段】
【０００６】
上記課題は、両端部を閉塞した筒状体からなる帽子兼用マフラーを提供することによって解決される。これにより、時と場合に応じて、帽子とマフラーとで使い分けることのできる帽子兼用マフラーを得ることが可能になる。すなわち、本発明の帽子兼用マフラーは、図１（ｂ）に示すように、前記筒状体を着用者の首（図示省略）に対して巻回させるとマフラーになり、図１（ｃ）に示すように、前記筒状体の一端部を他端部に向かって押し込んで前記筒状体の内側に折り込むと帽子になるものとなっている。以下においては、両端部を閉塞した筒状体からなる帽子兼用マフラーを「両端閉塞型の帽子兼用マフラー」と呼ぶことがある。
【０００７】
また、上記課題は、一端部を閉塞して他端部を開放した筒状体からなる帽子兼用マフラーを提供することによっても解決される。この帽子兼用マフラーは、図８（ｂ）に示すように、前記筒状体を着用者の首（図示省略）に対して巻回させるとマフラーになり、図８（ｃ）に示すように、前記筒状体における開放端部（前記筒状体における開放された側の端部）を前記筒状体の外側に折り返す、又は図８（ｄ）に示すように、前記筒状体における開放端部を前記筒状体の内側に折り返すことにより、帽子として使用することができるものとなっている。以下においては、一端部を閉塞して他端部を開放した筒状体からなる帽子兼用マフラーを「一端開放型の帽子兼用マフラー」と呼ぶことがある。
【０００８】
ところで、本願の特許請求の範囲及び明細書において、前記筒状体における「一端部」及び「他端部」という語は、あくまで前記筒状体における相対的な位置関係を表現するために用いたものであり、前記筒状体における絶対的な位置を定義するものではない。このため、ある箇所（例えば、本願の請求項２）で用いた「一端部」という語と、その他の箇所（例えば、本願の請求項４）で用いた「一端部」という語は、必ずしも前記筒状体における同じ側の端部を意味しない。
【０００９】
両端閉塞型又は一端開放型の帽子兼用マフラーにおいて、前記筒状体における閉塞端部（前記筒状体における閉塞された端部）を略半球状に形成することも好ましい。このように、前記筒状体における閉塞端部を略半球状に形成しておくことによって、本発明の帽子兼用マフラーを帽子として使用する際に、該閉塞端部を着用者の頭頂部にフィットさせることが可能になる。両端閉塞型の帽子兼用マフラーの場合には、一端部のみを略半球状に形成してもよいが、両端部を略半球状に形成しておくと好ましい。これにより、前記筒状体における一端部を他端部に向かって押し込んで前記筒状体の内側に折り込んだ際に、一端部と他端部とを綺麗に重ならせることが可能になる。
【００１０】
両端閉塞型又は一端開放型の帽子兼用マフラーにおいて、前記筒状体における一端部に釦を取り付け、前記筒状体における他端部に前記釦を留めるための釦留めを取り付けることも好ましい。これにより、本発明の帽子兼用マフラーをマフラーとして使用する際に、前記筒状体の両端部を留めることが可能になる。釦は、円盤形など、二次元的な形状を有するものであってもよいし、球形や半球形など、三次元的な形状を有するものであってもよい。天釦や飾り釦など、装飾効果の高いものを用いることも好ましい。一方、釦留めとしては、釦穴や釦ループなどが例示される。
【００１１】
このとき、前記釦又は前記釦留めのうち少なくとも一方を前記筒状体の長手方向における複数箇所に設けておくと好ましい。これにより、本発明の帽子兼用マフラーをマフラーとして使用する際に、前記筒状体における首に巻く部分の長さを調節することが可能になる。
【００１２】
一端開放型の帽子兼用マフラーにおいて、前記筒状体における開放端部の周縁に沿って絞り紐を取り付けることも好ましい。このように、前記筒状体における開放端部に絞り紐を取り付けておくことによって、該開放端部を閉塞可能にするだけでなく、本発明の帽子兼用マフラーをマフラーとして使用する際に、該絞り紐の余剰部分に形成されたループを前記釦に掛け留めるための釦ループとして利用することも可能になる。
【００１３】
両端閉塞型又は一端開放型の帽子兼用マフラーにおいて、前記筒状体の長手方向に沿った長さ（前記筒状体が伸縮する素材で形成されている場合にはその自然長）は、着用者の首回りの寸法や、前記筒状体の伸縮性や、マフラーとしての使用態様（マフラーの両端部を結ぶかどうか）などによっても異なり、とくに限定されないが、通常、４０〜１００ｃｍに設定される。
【発明の効果】
【００１４】
以上のように、本発明によって、帽子として着用することができるだけでなく、首に巻いて着用することもでき、マフラーとしてのお洒落を楽しむことも可能な帽子兼用マフラーを提供することが可能になる。
【発明を実施するための最良の形態】
【００１５】
本発明の帽子兼用マフラーについて、図面を用いてより具体的に説明する。以下においては、好適な７つの実施態様について説明するが、本発明の帽子兼用マフラーの実施態様は、これに限定されるものではない。
【００１６】
１．第一実施態様
まず、第一実施態様の帽子兼用マフラー１０について説明する。図１は、本発明の第一実施態様の帽子兼用マフラー１０を示した図である。このうち、図１（ａ）は、第一実施態様の帽子兼用マフラー１０を真っ直ぐ伸ばした状態を示した図である。また、図１（ｂ）は、第一実施態様の帽子兼用マフラー１０をマフラーとして使用する際の形態を示した図である。さらに、図１（ｃ）は、第一実施態様の帽子兼用マフラー１０を帽子にした状態を示した図である。図２は、本発明の第一実施態様の帽子兼用マフラー１０を図１におけるＸ−Ｘ面で切断した状態を示した図である。
【００１７】
第一実施態様の帽子兼用マフラー１０は、両端部を閉塞した筒状体１１からなる、両端閉塞型のものとなっている。筒状体１１における一端部１１ａ（閉塞端部）と他端部１１ｂ（閉塞端部）はいずれも略半球状に形成されている。このため、筒状体１１の一端部１１ａを他端部１１ｂに向かって押し込んで筒状体１１の内側に折り込むことにより、一端部１１ａと他端部１１ｂとを帽子の頭頂部となる部分で綺麗に重ねることができるようになっている。
【００１８】
また、第一実施態様の帽子兼用マフラー１０において、筒状体１１の両端部１１ａ，１１ｂには、結び紐１２ａ，１２ｂがそれぞれ取り付けられている。この結び紐１２ａ，１２ｂは、装飾用のリボンとして使用することができるだけでなく、帽子兼用マフラー１０をマフラーとして使用する際には、結び紐１２ａと結び紐１２ｂとを互いに結ぶことにより、筒状体１１の両端部１１ａ，１１ｂを留めることもできるようになっている。
【００１９】
筒状体１１の長手方向に沿った長さは、とくに限定されないが、通常、４０〜１００ｃｍに設定される。筒状体１１の長手方向に沿った長さは、帽子兼用マフラー１０の着用者の着用者の首回りの寸法や、筒状体１１の伸縮性や、マフラーとして着用する際に筒状体１１の両端部１１ａ，１１ｂを結ぶかどうかなどに応じて適宜決定される。帽子兼用マフラー１０が成人用のものである場合には、筒状体１１の長手方向に沿った長さは、５０ｃｍであると好ましく、５５ｃｍであるとより好ましく、６０ｃｍ以上であるとさらに好ましい。
【００２０】
一方、筒状体１１の長手方向に沿った長さを長くしすぎると、帽子兼用マフラー１０を帽子として使用しにくくなるおそれがある。すなわち、帽子兼用マフラー１０が重くなってしまうし、筒状体１１の一端部１１ａを他端部１１ｂに向かって押し込んで筒状体１１の内側に折り込んだとしても、筒状体１１を帽子として使用するのに好適な長さにまで短くできなくなるおそれがある。この場合、帽子の下縁部を上方に巻き上げることによって、帽子の上下長さを短くすることができるが、帽子が軽くなるわけではないし、帽子の下縁部が不自然に厚くなってしまう。このため、筒状体１１の長手方向に沿った長さは、９０ｃｍ以下とすると好ましく、８０ｃｍ以下とするとより好ましい。
【００２１】
筒状体１１の周の長さ（筒状体１１が伸縮する素材で形成されている場合にはその自然長）は、帽子兼用マフラー１０の着用者の頭回りの寸法や、筒状体１１の伸縮性や、マフラーとしての使用態様（マフラーの両端部を結ぶかどうか）などに応じて適宜決定される。帽子兼用マフラー１０を成人用のものとし、帽子として着用する際に下縁を巻き上げない形態のものとする場合には、筒状体１１の周の長さは、通常、４０〜６０ｃｍとされる。
【００２２】
帽子兼用マフラー１０の筒状体１１を形成する素材は、帽子やマフラーとして一般的に用いられている各種の素材を使用することができ、帽子兼用マフラー１０の価格帯などに応じて適宜決定される。筒状体１１の素材としては、羊毛、木綿、絹、麻などの天然繊維や、ポリアミド、ポリエステル、アクリル、ポリウレタン、エチレン、ポリプロピレンなどからなる合成繊維や、天然繊維と合成繊維を混紡した混紡繊維などが例示される。筒状体１１の生地としては、編地、織地、不織布などが例示される。
【００２３】
２．第二実施態様
続いて、第二実施態様の帽子兼用マフラー１０について説明する。図３は、本発明の第二実施態様の帽子兼用マフラー１０を示した図である。このうち、図３（ａ）は、第二実施態様の帽子兼用マフラー１０を真っ直ぐ伸ばした状態を示した図である。また、図３（ｂ）は、第二実施態様の帽子兼用マフラー１０をマフラーとして使用する際の形態を示した図である。さらに、図３（ｃ）は、第二実施態様の帽子兼用マフラー１０を帽子にした状態を示した図である。
【００２４】
第二実施態様の帽子兼用マフラー１０も、第一実施態様の帽子兼用マフラー１０と同様、両端閉塞型のものとなっている。筒状体１１における一端部１１ａ（閉塞端部）と他端部１１ｂ（閉塞端部）がいずれも略半球状に形成されていることや、筒状体１１の長手方向に沿った長さや、筒状体１１の周の長さや、筒状体１１を形成する素材については、第一実施態様の帽子兼用マフラー１０と同様であるために、説明を割愛する。
【００２５】
第二実施態様の帽子兼用マフラー１０は、筒状体１１の一端部１１ａに釦１３ａが取り付けられ、筒状体１１の他端部１１ｂに釦１３ａを掛け留めるための釦留め１３ｂが取り付けられている。第二実施態様の帽子兼用マフラー１０において、釦１３ａは、装飾用の天釦を兼ねたものとなっており、釦留め１３ｂは、釦ループとなっている。第二実施態様の帽子兼用マフラー１０は、マフラーとして着用する際に、天釦１３ａを釦ループ１３ｂに通すだけで筒状体１１の両端部１１ａ，１１ｂを留めることができるものとなっている。
【００２６】
３．第三実施態様
続いて、第三実施態様の帽子兼用マフラー１０について説明する。図４は、本発明の第三実施態様の帽子兼用マフラー１０を示した図である。このうち、図４（ａ）は、第三実施態様の帽子兼用マフラー１０を真っ直ぐ伸ばした状態を示した図である。また、図４（ｂ）は、第三実施態様の帽子兼用マフラー１０をマフラーとして使用する際の形態を示した図である。さらに、図４（ｃ）は、第三実施態様の帽子兼用マフラー１０を帽子にした状態を示した図である。
【００２７】
第三実施態様の帽子兼用マフラー１０も、第一実施態様や第二実施態様の帽子兼用マフラー１０と同様、両端閉塞型のものとなっている。筒状体１１における一端部１１ａ（閉塞端部）と他端部１１ｂ（閉塞端部）がいずれも略半球状に形成されていることや、筒状体１１の長手方向に沿った長さや、筒状体１１の周の長さや、筒状体１１を形成する素材については、第一実施態様又は第二実施態様の帽子兼用マフラー１０と同様であるために、説明を割愛する。
【００２８】
第三実施態様の帽子兼用マフラー１０においては、筒状体１１の一端部１１ａに釦１４ａが取り付けられ、筒状体１１の他端部１１ｂに釦１４ａを掛け留めるための釦留め１４ｂが取り付けられている。釦１４ａは、飾り釦となっており、釦留め１４ｂは、釦ループとなっている。第三実施態様の帽子兼用マフラー１０は、マフラーとして着用する際に、飾り釦１４ａを釦ループ１４ｂに通すことにより、筒状体１１の両端部１１ａ，１１ｂを留めることができるものとなっている。
【００２９】
４．第四実施態様
続いて、第四実施態様の帽子兼用マフラー１０について説明する。図５は、本発明の第四実施態様の帽子兼用マフラー１０を示した図である。このうち、図５（ａ）は、第四実施態様の帽子兼用マフラー１０を真っ直ぐ伸ばした状態を示した図である。また、図５（ｂ）は、第四実施態様の帽子兼用マフラー１０をマフラーとして使用する際の形態を示した図である。さらに、図５（ｃ）は、第四実施態様の帽子兼用マフラー１０を帽子にした状態を示した図である。
【００３０】
第四実施態様の帽子兼用マフラー１０も両端閉塞型のものとなっている。筒状体１１における一端部１１ａ（閉塞端部）と他端部１１ｂ（閉塞端部）がいずれも略半球状に形成されていることや、筒状体１１の長手方向に沿った長さや、筒状体１１の周の長さや、筒状体１１を形成する素材については、第一実施態様から第三実施態様までの帽子兼用マフラー１０と同様であるために、説明を割愛する。
【００３１】
第四実施態様の帽子兼用マフラー１０は、着脱可能な留め具１５が筒状体１１の一端部１１ａに取り付けられたものとなっている。留め具１５は、帽子兼用マフラー１０をマフラーとして着用する際に、筒状体１１の両端部１１ａ，１１ｂを重ねて留めるためのものとなっている。留め具１５は、筒状体１１の両端部１１ａ，１１ｂを互いに留めることができるものであればとくに限定されない。留め具１５としては、ピンやクリップなどが例示される。第四実施態様の帽子兼用マフラー１０においては、ピン付きのコサージュを留め具１５として用いている。
【００３２】
５．第五実施態様
続いて、第五実施態様の帽子兼用マフラー１０について説明する。図６は、本発明の第五実施態様の帽子兼用マフラー１０を示した図である。このうち、図６（ａ）は、第五実施態様の帽子兼用マフラー１０を真っ直ぐ伸ばした状態を示した図である。また、図６（ｂ）は、第五実施態様の帽子兼用マフラー１０をマフラーとして使用する際の形態を示した図である。さらに、図６（ｃ）は、第五実施態様の帽子兼用マフラー１０を帽子にした状態を示した図である。
【００３３】
第五実施態様の帽子兼用マフラー１０も両端閉塞型のものとなっている。筒状体１１における一端部１１ａ（閉塞端部）と他端部１１ｂ（閉塞端部）がいずれも略半球状に形成されていることや、筒状体１１の長手方向に沿った長さや、筒状体１１の周の長さや、筒状体１１を形成する素材については、第一実施態様から第四実施態様の帽子兼用マフラー１０と同様であるために、説明を割愛する。
【００３４】
第五実施態様の帽子兼用マフラー１０は、筒状体１１の一端部１１ａに釦１６ａ（飾り釦）が取り付けられ、筒状体１１の他端部１１ｂに釦１６ａを留めるための釦穴１６ｂが設けられている。第五実施態様の帽子兼用マフラー１０において、釦１６ａは、筒状体１１の長手方向における複数箇所に取り付けている。このため、第五実施態様の帽子兼用マフラー１０は、マフラーとして着用する際に、筒状体１１における首に巻く部分の長さを調節することができるようになっている。釦穴１６ｂを筒状体１１の長手方向における複数箇所に設けても同様の効果が得られる。釦１６ａや釦穴１６ｂの数や間隔は、とくに限定されないが、通常、２〜１０個の釦１６ａ又は釦穴１６ｂが２〜１０ｃｍ間隔で設けられる。
【００３５】
６．第六実施態様
続いて、第六実施態様の帽子兼用マフラー１０について説明する。図７は、本発明の第六実施態様の帽子兼用マフラー１０を示した図である。このうち、図７（ａ）は、第六実施態様の帽子兼用マフラー１０を真っ直ぐ伸ばした状態を示した図である。また、図７（ｂ）は、第六実施態様の帽子兼用マフラー１０をマフラーとして使用する際の形態を示した図である。さらに、図７（ｃ）は、第六実施態様の帽子兼用マフラー１０を帽子にした状態を示した図である。
【００３６】
第六実施態様の帽子兼用マフラー１０も両端閉塞型のものとなっている。第六実施態様の帽子兼用マフラー１０は、筒状体１１における一端部１１ａ（閉塞端部）と他端部１１ｂ（閉塞端部）がいずれも略半球状に形成されていることなどについては、第一実施態様から第五実施態様までの帽子兼用マフラー１０と同様であるために、説明を割愛する。
【００３７】
第六実施態様の帽子兼用マフラー１０は、その一端部１１ａに装飾用の天釦１７が取り付けられただけのものとなっており、マフラーとして着用する際に筒状体１１の両端部を結んで留めるものとなっている。このため、第二実施態様の帽子兼用マフラー１０は、第一実施態様から第五実施態様までの帽子兼用マフラー１０と比較して、結び目を形成する分（約２０〜３０ｃｍ程度）だけ、筒状体１１の長手方向に沿った長さを長く確保している。
【００３８】
第六実施態様の帽子兼用マフラー１０のように、マフラーとして使用する際に両端部１１ａ，１１ｂを結ぶタイプの帽子兼用マフラー１０は、帽子として使用する際の余剰部分も長くなるので、その下縁を上方に巻き上げて着用すると好ましい。このため、第六実施態様の帽子兼用マフラー１０においては、第一実施態様から第五実施態様までの帽子兼用マフラー１０と比較して、筒状体１１の周を数ｃｍ程度長く確保しておくと好ましい。
【００３９】
７．第七実施態様
最後に、第七実施態様の帽子兼用マフラー１０について説明する。図８は、本発明の第七実施態様の帽子兼用マフラー１０を示した図である。このうち、図８（ａ）は、第七実施態様の帽子兼用マフラー１０を真っ直ぐ伸ばした状態を示した図である。図８（ｂ）は、第七実施態様の帽子兼用マフラー１０の開放端部を絞った状態を示した図である。図８（ｃ）は、第七実施態様の帽子兼用マフラー１０をマフラーとして使用する際の形態を示した図である。図８（ｄ）は、第七実施態様の帽子兼用マフラー１０を帽子にした状態（内側折り返し）を示した図である。図８（ｅ）は、第七実施態様の帽子兼用マフラー１０を別の方法により帽子にした状態（外側折り返し）を示した図である。
【００４０】
第七実施態様の帽子兼用マフラー１０は、一端部１１ａを閉塞して他端部１１ｂを開放した筒状体からなる、一端開放型のものとなっている。筒状体１１における一端部１１ａ（閉塞端部）は、第一実施態様から第六実施態様までの帽子兼用マフラー１０と同様、略半球状に形成されている。これに対し、筒状体１１における他端部１１ｂ（開放端部）は、筒状体１１の長手方向に対して垂直となっている。この第七実施態様の帽子兼用マフラーは、図８（ｄ）に示すように、筒状体１１の開放端部を筒状体１１の外側に折り返す、又は図８（ｅ）に示すように、筒状体１１の開放端部を筒状体１１の内側に折り返すことにより、帽子として使用することができるようになっている。このため、第七実施態様の帽子兼用マフラー１０も、第一実施態様から第六実施態様までの帽子兼用マフラー１０と同様、略半球状の頭頂部を有する帽子として使用することができるものとなっている。筒状体１１の長手方向に沿った長さや、筒状体１１の周の長さや、筒状体１１を形成する素材については、第一実施態様から第六実施態様の帽子兼用マフラー１０と同様であるために、説明を割愛する。
【００４１】
第七実施態様の帽子兼用マフラー１０においては、筒状体１１の閉塞端部（一端部１１ａ）に天釦１８ａ（釦）が取り付けられ、筒状体１１の開放端部（他端部１１ｂ）の周縁に沿って絞り紐１８ｂが取り付けられている。このため、第七実施態様の帽子兼用マフラー１０は、マフラーとして使用する際に、絞り紐１８ｂを絞ることによって筒状体１１の開放端部１１ｂを閉塞するとともに、絞り紐１８ｂの余剰部分で形成されたループを天釦１８ａに留めることができるようになっている。
【００４２】
絞り紐１８ｂは、麻紐など、伸縮しにくい紐を用いてもよいが、ゴム紐など、伸縮性に優れた紐を用いることも好ましい。これにより、絞り紐１８ｂの余剰部分を使って筒状体１１の両端部を留める作業を容易に行うだけでなく、その余った部分よりも大きな釦に掛け留めることも可能になる。
【図面の簡単な説明】
【００４３】
【図１】本発明の第一実施態様の帽子兼用マフラーを示した図である。
【図２】図２は、本発明の第一実施態様の帽子兼用マフラーを図１におけるＸ−Ｘ面で切断した状態を示した図である。
【図３】本発明の第二実施態様の帽子兼用マフラーを示した図である。
【図４】本発明の第三実施態様の帽子兼用マフラーを示した図である。
【図５】本発明の第四実施態様の帽子兼用マフラーを示した図である。
【図６】本発明の第五実施態様の帽子兼用マフラーを示した図である。
【図７】本発明の第六実施態様の帽子兼用マフラーを示した図である。
【図８】本発明の第七実施態様の帽子兼用マフラーを示した図である。
【符号の説明】
【００４４】
１０    帽子兼用マフラー
１１    筒状体
１１ａ  閉塞端部
１１ｂ  閉塞端部
１２ａ  結び紐
１２ｂ  結び紐
１３ａ  天釦（釦）
１３ｂ  釦ループ（釦留め）
１４ａ  飾り釦（釦）
１４ｂ  釦ループ（釦留め）
１５    コサージュ（留め具）
１６ａ  飾り釦（釦）
１６ｂ  釦穴
１７    天釦（釦）
１８ａ  天釦（釦）
１８ｂ  絞り紐
【図１】
2009191409.tif 000003
【図２】
2009191409.tif 000004
【図３】
2009191409.tif 000005
【図４】
2009191409.tif 000006
【図５】
2009191409.tif 000007
【図６】
2009191409.tif 000008
【図７】
2009191409.tif 000009
【図８】
2009191409.tif 000010